(57)【要約】【課題】回線状態の変更要求が発生した場合に、当該変更要求を行う伝送装置に対し、監視制御チャンネルを自動的に設定することが可能な回線設計システムを提供する。【解決手段】回線設計サーバ（２０）は、回線状態の変更要求が発生した場合に、当該変更要求を行う伝送装置（６０−１〜ｎ）の情報と、当該伝送装置（６０−１〜ｎ）に設定する監視制御チャンネルの情報と、をネットワーク監視制御装置（５０）に送信する。ネットワーク監視制御装置（５０）は、伝送装置（６０−１〜ｎ）の情報と、監視制御チャンネルの情報と、を受信した場合に、該受信した伝送装置（６０−１〜ｎ）の情報と、監視制御チャンネルの情報と、を基に、当該伝送装置（６０−１〜ｎ）の監視制御チャンネルを設定する。【選択図】図１
2008228224.tif 000002
【特許請求の範囲】
【請求項１】
ネットワークを構成する伝送装置と、前記伝送装置の回線状態を管理する回線設計装置と、前記伝送装置の監視制御チャンネルを制御する制御装置と、を有して構成される回線設計システムであって、
前記回線設計装置は、
回線状態の変更要求が発生した場合に、当該変更要求を行う伝送装置の情報と、当該伝送装置に設定する監視制御チャンネルの情報と、を前記制御装置に送信する送信手段を有し、
前記制御装置は、
前記伝送装置の情報と、前記監視制御チャンネルの情報と、を受信した場合に、該受信した伝送装置の情報と、前記監視制御チャンネルの情報と、を基に、当該伝送装置の監視制御チャンネルを設定するチャンネル制御手段を有することを特徴とする回線設計システム。
【請求項２】
ネットワークを構成する伝送装置と、前記伝送装置の回線状態を管理する回線設計装置と、前記伝送装置の設置状況を管理する管理装置と、前記伝送装置の監視制御チャンネルを制御する制御装置と、を有して構成される回線設計システムであって、
前記回線設計装置は、
回線状態の変更要求が発生した場合に、当該変更要求を行う伝送装置の情報と、当該伝送装置に設定する監視制御チャンネルの情報と、を前記管理装置に送信する送信手段を有し、
前記管理装置は、
前記伝送装置の情報と、前記監視制御チャンネルの情報と、を受信した場合に、前記伝送装置の情報を基に、変更要求を行う伝送装置を特定し、該特定した伝送装置の設置状況を管理する管理手段と、
前記伝送装置の情報と、前記監視制御チャンネルの情報と、を前記制御装置に送信する送信手段と、を有し、
前記制御装置は、
前記伝送装置の情報と、前記監視制御チャンネルの情報と、を受信した場合に、該受信した伝送装置の情報と、前記監視制御チャンネルの情報と、を基に、当該伝送装置の監視制御チャンネルを設定するチャンネル制御手段を有することを特徴とする回線設計システム。
【請求項３】
前記管理装置は、
前記管理手段で管理する伝送装置の設置が完了した場合に、前記伝送装置の情報と、前記監視制御チャンネルの情報と、を前記制御装置に送信することを特徴とする請求項２記載の回線設計システム。
【請求項４】
ネットワークを構成する伝送装置と、前記伝送装置の回線状態を管理する回線設計装置と、前記伝送装置の監視制御チャンネルを制御する制御装置と、を有して構成される回線設計システムで行う回線設計方法であって、
前記回線設計装置は、
回線状態の変更要求が発生した場合に、当該変更要求を行う伝送装置の情報と、当該伝送装置に設定する監視制御チャンネルの情報と、を前記制御装置に送信する送信工程を行い、
前記制御装置は、
前記伝送装置の情報と、前記監視制御チャンネルの情報と、を受信した場合に、該受信した伝送装置の情報と、前記監視制御チャンネルの情報と、を基に、当該伝送装置の監視制御チャンネルを設定するチャンネル制御工程を行うことを特徴とする回線設計方法。
【請求項５】
ネットワークを構成する伝送装置と、前記伝送装置の回線状態を管理する回線設計装置と、前記伝送装置の設置状況を管理する管理装置と、前記伝送装置の監視制御チャンネルを制御する制御装置と、を有して構成される回線設計システムで行う回線設計方法であって、
前記回線設計装置は、
回線状態の変更要求が発生した場合に、当該変更要求を行う伝送装置の情報と、当該伝送装置に設定する監視制御チャンネルの情報と、を前記管理装置に送信する送信工程を行い、
前記管理装置は、
前記伝送装置の情報と、前記監視制御チャンネルの情報と、を受信した場合に、前記伝送装置の情報を基に、変更要求を行う伝送装置を特定し、該特定した伝送装置の設置状況を管理する管理工程と、
前記伝送装置の情報と、前記監視制御チャンネルの情報と、を前記制御装置に送信する送信工程と、を行い、
前記制御装置は、
前記伝送装置の情報と、前記監視制御チャンネルの情報と、を受信した場合に、該受信した伝送装置の情報と、前記監視制御チャンネルの情報と、を基に、当該伝送装置の監視制御チャンネルを設定するチャンネル制御工程を行うことを特徴とする回線設計方法。
【請求項６】
前記管理装置は、
前記管理工程で管理する伝送装置の設置が完了した場合に、前記伝送装置の情報と、前記監視制御チャンネルの情報と、を前記制御装置に送信することを特徴とする請求項５記載の回線設計方法。
【発明の詳細な説明】
【技術分野】
【０００１】
本発明は、回線設計システム及び回線設計方法に関し、特に、自動的に回線設計変更を行うことが可能な回線設計システム及び回線設計方法に関するものである。
【背景技術】
【０００２】
従来の回線設計の変更は、回線設計の変更を行うために用いられる伝送装置の製品販売と統合されておらず、回線設計の変更を行うまでにはかなりの時間を要していたのが現状である。
【０００３】
また、伝送装置の製品販売を行っているベンダでは、監視制御チャンネルの設定を行っておらず、伝送装置の設置業者が伝送装置の製品を設置する際に、回線設計変更に応じて人手操作で監視制御チャンネルの設定を行っていたのが現状である。
【０００４】
このように、従来の回線設計の変更は、回線設計変更に必要な伝送装置の設置と、その伝送装置への監視制御チャンネルの設定と、が独立で行われていたため、回線設定変更に必要な伝送装置の設置に誤りがあった場合に、その誤りを修正するまでにはかなりの時間を要することになる。
【０００５】
このようなことから、自動的に回線設計変更を行うことが可能なシステムの開発が必要視されることになる。
【０００６】
なお、本発明より先に出願された技術文献として、在庫負担を軽減するシステムについて開示された文献がある（例えば、特許文献１参照）。
【０００７】
また、ネットワークの設計を効率的に行えるようにするシステムについて開示された文献がある（例えば、特許文献２参照）。
【０００８】
また、保守制御を行うための制御対象（パス等）を容易かつ適正に選択可能とし、ネットワーク管理の能率回線及び信頼性向上を図る装置について開示された文献がある（例えば、特許文献３参照）。
【０００９】
また、ネットワークを再構築しつつも、ＳＬＡを保ちつづけることが可能なシステムについて開示された文献がある（例えば、特許文献４参照）。
【００１０】
また、通信回線の設定変更を、エンドユーザの要求・指向・環境に応じて最適かつ動的に行うことが可能なシステムについて開示された文献がある（例えば、特許文献５参照）。
【特許文献１】特開２００１−１９５５３０号公報
【特許文献２】特開２００２−２１５６９９号公報
【特許文献３】特開２００２−３７４２４７号公報
【特許文献４】特開２００４−１９３８１５号公報
【特許文献５】特開２００５−８６６２８号公報
【発明の開示】
【発明が解決しようとする課題】
【００１１】
しかしながら、上記特許文献１〜５には、回線状態の変更要求が発生した場合に、当該変更要求を行う伝送装置に対し、監視制御チャンネルを自動的に設定する点については、何ら記載もその必要性についても示唆されていない。
【００１２】
本発明は、上記事情に鑑みてなされたものであり、回線状態の変更要求が発生した場合に、当該変更要求を行う伝送装置に対し、監視制御チャンネルを自動的に設定することが可能な回線設計システム及び回線設計方法を提供することを目的とするものである。
【課題を解決するための手段】
【００１３】
かかる目的を達成するために、本発明は以下の特徴を有することとする。
【００１４】
本発明にかかる回線設計システムは、
ネットワークを構成する伝送装置と、前記伝送装置の回線状態を管理する回線設計装置と、前記伝送装置の監視制御チャンネルを制御する制御装置と、を有して構成される回線設計システムであって、
前記回線設計装置は、
回線状態の変更要求が発生した場合に、当該変更要求を行う伝送装置の情報と、当該伝送装置に設定する監視制御チャンネルの情報と、を前記制御装置に送信する送信手段を有し、
前記制御装置は、
前記伝送装置の情報と、前記監視制御チャンネルの情報と、を受信した場合に、該受信した伝送装置の情報と、前記監視制御チャンネルの情報と、を基に、当該伝送装置の監視制御チャンネルを設定するチャンネル制御手段を有することを特徴とする。
【００１５】
また、本発明にかかる回線設計システムは、
ネットワークを構成する伝送装置と、前記伝送装置の回線状態を管理する回線設計装置と、前記伝送装置の設置状況を管理する管理装置と、前記伝送装置の監視制御チャンネルを制御する制御装置と、を有して構成される回線設計システムであって、
前記回線設計装置は、
回線状態の変更要求が発生した場合に、当該変更要求を行う伝送装置の情報と、当該伝送装置に設定する監視制御チャンネルの情報と、を前記管理装置に送信する送信手段を有し、
前記管理装置は、
前記伝送装置の情報と、前記監視制御チャンネルの情報と、を受信した場合に、前記伝送装置の情報を基に、変更要求を行う伝送装置を特定し、該特定した伝送装置の設置状況を管理する管理手段と、
前記伝送装置の情報と、前記監視制御チャンネルの情報と、を前記制御装置に送信する送信手段と、を有し、
前記制御装置は、
前記伝送装置の情報と、前記監視制御チャンネルの情報と、を受信した場合に、該受信した伝送装置の情報と、前記監視制御チャンネルの情報と、を基に、当該伝送装置の監視制御チャンネルを設定するチャンネル制御手段を有することを特徴とする。
【００１６】
また、本発明にかかる回線設計システムにおいて、
前記管理装置は、
前記管理手段で管理する伝送装置の設置が完了した場合に、前記伝送装置の情報と、前記監視制御チャンネルの情報と、を前記制御装置に送信することを特徴とする。
【００１７】
また、本発明にかかる回線設計方法は、
ネットワークを構成する伝送装置と、前記伝送装置の回線状態を管理する回線設計装置と、前記伝送装置の監視制御チャンネルを制御する制御装置と、を有して構成される回線設計システムで行う回線設計方法であって、
前記回線設計装置は、
回線状態の変更要求が発生した場合に、当該変更要求を行う伝送装置の情報と、当該伝送装置に設定する監視制御チャンネルの情報と、を前記制御装置に送信する送信工程を行い、
前記制御装置は、
前記伝送装置の情報と、前記監視制御チャンネルの情報と、を受信した場合に、該受信した伝送装置の情報と、前記監視制御チャンネルの情報と、を基に、当該伝送装置の監視制御チャンネルを設定するチャンネル制御工程を行うことを特徴とする。
【００１８】
また、本発明にかかる回線設計方法は、
ネットワークを構成する伝送装置と、前記伝送装置の回線状態を管理する回線設計装置と、前記伝送装置の設置状況を管理する管理装置と、前記伝送装置の監視制御チャンネルを制御する制御装置と、を有して構成される回線設計システムで行う回線設計方法であって、
前記回線設計装置は、
回線状態の変更要求が発生した場合に、当該変更要求を行う伝送装置の情報と、当該伝送装置に設定する監視制御チャンネルの情報と、を前記管理装置に送信する送信工程を行い、
前記管理装置は、
前記伝送装置の情報と、前記監視制御チャンネルの情報と、を受信した場合に、前記伝送装置の情報を基に、変更要求を行う伝送装置を特定し、該特定した伝送装置の設置状況を管理する管理工程と、
前記伝送装置の情報と、前記監視制御チャンネルの情報と、を前記制御装置に送信する送信工程と、を行い、
前記制御装置は、
前記伝送装置の情報と、前記監視制御チャンネルの情報と、を受信した場合に、該受信した伝送装置の情報と、前記監視制御チャンネルの情報と、を基に、当該伝送装置の監視制御チャンネルを設定するチャンネル制御工程を行うことを特徴とする。
【００１９】
また、本発明にかかる回線設計方法において、
前記管理装置は、
前記管理工程で管理する伝送装置の設置が完了した場合に、前記伝送装置の情報と、前記監視制御チャンネルの情報と、を前記制御装置に送信することを特徴とする。
【発明の効果】
【００２０】
本発明によれば、回線状態の変更要求が発生した場合に、当該変更要求を行う伝送装置に対し、監視制御チャンネルを自動的に設定することが可能となる。
【発明を実施するための最良の形態】
【００２１】
＜本実施形態の回線システムの特徴＞
まず、図１を参照しながら、本実施形態の回線設計システムの特徴について説明する。
【００２２】
本実施形態における回線設計システムは、ネットワークを構成する伝送装置（６０−１〜ｎ：ｎは、任意の整数）と、伝送装置（６０−１〜ｎ）の回線状態を管理する回線設計装置（回線設計サーバ：２０に該当）と、伝送装置（６０−１〜ｎ）の監視制御チャンネルを制御する制御装置（ネットワーク監視制御装置：５０に該当）と、を有して構成される回線設計システムである。
【００２３】
そして、回線設計装置（２０）は、回線状態の変更要求が発生した場合に、当該変更要求を行う伝送装置（６０−１〜ｎ）の情報と、当該伝送装置（６０−１〜ｎ）に設定する監視制御チャンネルの情報と、を制御装置（５０）に送信する。
【００２４】
制御装置（５０）は、伝送装置（６０−１〜ｎ）の情報と、監視制御チャンネルの情報と、を受信した場合に、該受信した伝送装置（６０−１〜ｎ）の情報と、監視制御チャンネルの情報と、を基に、当該伝送装置（６０−１〜ｎ）の監視制御チャンネルを設定する。
【００２５】
これにより、回線状態の変更要求が発生した場合に、当該変更要求を行う伝送装置（６０−１〜ｎ）に対し、監視制御チャンネルを自動的に設定することが可能となる。
【００２６】
また、本実施形態における回線設計システムは、ネットワークを構成する伝送装置（６０−１〜ｎ：ｎは、任意の整数）と、伝送装置（６０−１〜ｎ）の回線状態を管理する回線設計装置（回線設計サーバ：２０に該当）と、伝送装置（６０−１〜ｎ）の設置状況を管理する管理装置（ベンダ販売サーバ：３０、配送センタ端末：４０に該当）と、伝送装置（６０−１〜ｎ）の監視制御チャンネルを制御する制御装置（ネットワーク監視制御装置：５０に該当）と、を有して構成される回線設計システムである。
【００２７】
そして、回線設計装置（２０）は、回線状態の変更要求が発生した場合に、当該変更要求を行う伝送装置（６０−１〜ｎ）の情報と、当該伝送装置（６０−１〜ｎ）に設定する監視制御チャンネルの情報と、を管理装置（３０、４０）に送信する。
【００２８】
管理装置（３０、４０）は、伝送装置（６０−１〜ｎ）の情報と、監視制御チャンネルの情報と、を受信した場合に、伝送装置（６０−１〜ｎ）の情報を基に、変更要求を行う伝送装置（６０−１〜ｎ）を特定し、該特定した伝送装置（６０−１〜ｎ）の設置状況を管理する。そして、管理装置（３０、４０）は、伝送装置（６０−１〜ｎ）の情報と、監視制御チャンネルの情報と、を制御装置（５０）に送信する。
【００２９】
制御装置（５０）は、伝送装置（６０−１〜ｎ）の情報と、監視制御チャンネルの情報と、を受信した場合に、該受信した伝送装置（６０−１〜ｎ）の情報と、監視制御チャンネルの情報と、を基に、当該伝送装置（６０−１〜ｎ）の監視制御チャンネルを設定する。
【００３０】
これにより、回線状態の変更要求が発生した場合に、当該変更要求を行う伝送装置（６０−１〜ｎ）に対し、監視制御チャンネルを自動的に設定することが可能となる。以下、添付図面を参照しながら、本実施形態の回線設計システムについて詳細に説明する。
【００３１】
＜回線設計システムのシステム構成＞
まず、図１を参照しながら、本実施形態の回線設計システムのシステム構成について説明する。
【００３２】
本実施形態の回線設計システムは、ユーザ端末（１０）と、回線設計サーバ（２０）と、ベンダ販売サーバ（３０）と、配送センタ端末（４０）と、ネットワーク監視制御装置（５０）と、伝送装置（６０−１〜ｎ：ｎは、任意の整数）と、を有して構成している。
【００３３】
なお、本実施形態の回線設計システムを構成するユーザ端末（１０）と、回線設計サーバ（２０）と、ベンダ販売サーバ（３０）と、配送センタ端末（４０）と、ネットワーク監視制御装置（５０）と、伝送装置（６０−１〜ｎ）と、の間の接続形態は、情報通信が可能であれば特に限定するものではなく、有線、無線を問わず、あらゆる形態の接続形態を適用することが可能であり、例えば、ＩＰネットワークなどの通信回線により接続するように構築することも可能である。
【００３４】
＜ユーザ端末：１０＞
ユーザ端末（１０）は、パーソナルコンピュータ等の情報処理装置であり、回線設計サーバ（２０）の回線設計機能にアクセスし、回線設計サーバ（２０）において管理している設計情報をユーザ端末（１０）の表示部上に表示する機能を有している。
【００３５】
なお、設計情報としては、伝送装置（６０−１〜ｎ）の機種名、インタフェース盤名、伝送装置（６０−１〜ｎ）間の接続情報、監視制御チャンネルなどが挙げられる。
【００３６】
ユーザ端末（１０）は、ユーザの操作により、伝送装置（６０−１〜ｎ）の追加／削除等の変更操作を行い、その変更操作を行った際の変更操作情報を回線設計サーバ（２０）に送信し、その変更操作情報に応じた回線設計変更の変更内容を回線設計サーバ（２０）から取得し、該取得した回線設計変更の変更内容をユーザ端末（１０）の表示部上に表示する機能を有している。
【００３７】
また、ユーザ端末（１０）は、上述した回線設計変更の変更内容を伝送装置（６０−１〜ｎ）に反映するように指示する機能を有している。
【００３８】
＜回線設計サーバ：２０＞
回線設計サーバ（２０）は、ユーザの回線設計部門に設置されているワークステーション・サーバ等の情報処理装置であり、ユーザ端末（１０）から変更操作情報を受信した場合に、その受信した変更操作情報を基に、回線状態の回線設計変更を行い、その回線設計変更を行った変更内容をユーザ端末（１０）に送信する回線設計機能を有している。
【００３９】
なお、変更内容としては、回線設計変更を行った伝送装置（６０−１〜ｎ）の機種名、インタフェース盤名、伝送装置（６０−１〜ｎ）間の接続情報、監視制御チャンネルなどが挙げられる。
【００４０】
また、回線設計サーバ（２０）は、上述した回線設計変更の変更内容を伝送装置（６０−１〜ｎ）に反映するように、ユーザ端末（１０）から指示が行われた場合は、その回線設計変更の変更内容によって必要となった回線設計変更情報をベンダ販売サーバ（３０）に指示する機能を有している。
【００４１】
なお、回線設計変更情報としては、回線設計変更を行う伝送装置（６０−１〜ｎ）の位置情報、伝送装置（６０−１〜ｎ）の設計変更情報（追加／削除）、回線設定変更情報（パスの始点と終点とを設定変更するための情報）、監視制御チャンネル設定変更情報（監視制御チャンネルを設定変更するための情報）、シェルフ位置、パッケージ名、スロット位置等の情報が挙げられる。
【００４２】
＜ベンダ販売サーバ：３０＞
ベンダ販売サーバ（３０）は、ベンダの販売部門に設置されているワークステーション・サーバ等の情報処理装置であり、回線設計サーバ（２０）から回線設計変更情報を受信した場合に、その受信した回線設計変更情報を基に、回線設計変更によって必要となった伝送装置（６０−１〜ｎ）の製品の配送情報と、伝送装置（６０−１〜ｎ）の設定変更情報と、を配送センタ端末（４０）に指示し、配送センタ端末（４０）から回線設定変更の完了通知を受信した場合に、課金処理を行い、その課金処理を行った際の課金情報と、回線設定変更の完了通知を回線設計サーバ（２０）に送信する機能を有している。
【００４３】
なお、配送情報としては、回線設計変更を行う伝送装置（６０−１〜ｎ）の位置情報、シェルフ位置、パッケージ名、スロット位置等の情報が挙げられる。
【００４４】
また、設定変更情報としては、伝送装置（６０−１〜ｎ）の設計変更情報（追加／削除）、回線設定変更情報（パスの始点と終点とを設定変更するための情報）、監視制御チャンネル設定変更情報（監視制御チャンネルを設定変更するための情報）等の情報が挙げられる。
【００４５】
＜配送センタ端末：４０＞
配送センタ端末（４０）は、製品を販売する部門に設置されているワークステーション・サーバ等の情報処理装置であり、ベンダ販売サーバ（３０）から配送情報と、設定変更情報と、を受信した場合に、該受信した配送情報を基に、在庫の中から回線設計変更によって必要となった伝送装置（６０−１〜ｎ）の製品を特定し、該特定した伝送装置（６０−１〜ｎ）の製品を、回線設計変更が必要となった伝送装置（６０−１〜ｎ）が設置されている客先宛に配送し、回線設定変更が必要となった伝送装置（６０−１〜ｎ）の設置が完了した場合に、ベンダ販売サーバ（３０）から受信した設定変更情報を、ネットワーク監視装置（５０）に送信し、回線設定変更をネットワーク監視制御装置（５０）に指示し、回線設定変更が完了した旨の回線設定変更完了通知を受信した場合に、回線設定変更完了通知を、ベンダ販売サーバ（３０）に通知する機能を有している。
【００４６】
＜ネットワーク監視装置：５０＞
ネットワーク監視装置（５０）は、ユーザの回線設計部門に設置されているワークステーション・サーバ等の情報処理装置であり、配送センタ端末（４０）から設定変更情報を受信した場合に、該受信した設定変更情報を基に、伝送装置（６０−１〜ｎ）の回線設定変更を行う。
【００４７】
なお、回線設定変更としては、伝送装置（６０−１〜ｎ）の設計変更（追加／削除）、回線設定変更（パスの始点と終点との設定変更）、監視制御チャンネルの設定変更が挙げられる。
【００４８】
＜伝送装置：６０−１〜ｎ＞
伝送装置（６０−１〜ｎ）は、ユーザの施設内に設置させるＴＤＭ、ＤＷＤＭ等の伝送装置であり、ネットワーク監視装置（５０）の回線設定変更により、伝送装置（６０−１〜ｎ）の設定変更、回線設定変更、監視制御チャンネルの設定変更が行われることになる。
【００４９】
＜回線設計システムにおける制御動作＞
次に、図１〜図３を参照しながら、本実施形態の回線設計システムにおける一連の制御動作について説明する。なお、図２、図３は、回線設計システムにおける一連の制御動作を示す図である。
【００５０】
ユーザ端末（１０）は、ユーザの人手操作により、回線設定サーバ（２０）にアクセスする（ステップＡ１）。
【００５１】
回線設計サーバ（２０）は、ユーザ端末（１０）からアクセスがあった場合に、そのアクセスに応答し、回線設計サーバ（２０）において管理している現在の設計情報をユーザ端末（１０）に送信する。
【００５２】
なお、設計情報としては、伝送装置（６０−１〜ｎ）の機種名、インタフェース盤名、伝送装置（６０−１〜ｎ）間の接続情報、監視制御チャンネルなどが挙げられる。
【００５３】
これにより、回線設計サーバ（２０）は、回線設計サーバ（２０）において管理している現在の伝送装置（６０−１〜ｎ）の回線状態をユーザ端末（１０）に送信することになる（ステップＡ２）。
【００５４】
ユーザ端末（１０）は、回線設計サーバ（２０）から受信した現在の伝送装置（６０−１〜ｎ）の回線状態をユーザ端末（１０）の表示部上に表示する。
【００５５】
ユーザは、ユーザ端末（１０）の表示部上に表示された現在の伝送装置（６０−１〜ｎ）の回線状態を基に、伝送装置（６０−１〜ｎ）の追加／削除等の回線変更操作をユーザ端末（１０）を用いて行い、現在の回線状態の変更操作を行う（ステップＡ３）。
【００５６】
なお、ユーザは、回線状態の変更操作が完了した場合に、ユーザ端末（１０）に回線状態の変更操作を実行するように要求する。
【００５７】
ユーザ端末（１０）は、回線状態の変更操作の実行要求が行われた場合に、現在の回線状態を人手操作により変更操作した際の変更操作情報と、回線状態の変更操作要求と、を回線設計サーバ（２０）に送信する（ステップＡ４）。
【００５８】
回線設計サーバ（２０）は、変更操作情報と変更操作要求とをユーザ端末（１０）から受信した場合に、その受信した変更操作情報を基に、現在の伝送装置（６０−１〜ｎ）の回線状態の回線設計変更を行う（ステップＡ５）。
【００５９】
なお、回線設計変更の変更内容としては、伝送装置（６０−１〜ｎ）の追加／削除等の伝送装置（６０−１〜ｎ）間の接続状態の変更に加えて、監視制御チャンネルの変更等が挙げられる。
【００６０】
回線設計サーバ（２０）は、ステップＡ５において行った回線設計変更の変更内容をユーザ端末（１０）に送信する（ステップＡ６）。
【００６１】
ユーザ端末（１０）は、回線設計サーバ（２０）から受信した回線設計変更の変更内容を、ユーザ端末（１０）の表示部上に表示する（ステップＡ７）。
【００６２】
ユーザは、ユーザ端末（１０）の表示部上に表示された回線設計変更の変更内容を認容する場合に、ユーザ端末（１０）を操作し、変更内容の認容通知を回線設計サーバ（２０）に送信する（ステップＡ８）。
【００６３】
回線設計サーバ（２０）は、変更内容の認容通知をユーザ端末（１０）から受信した場合に、ステップＡ５において行った回線設計変更の変更内容を基に、その回線設計変更によって必要となった回線設計変更情報をベンダ販売サーバ（３０）に送信する（ステップＡ９）。
【００６４】
なお、回線設計変更情報としては、回線設計変更を行う伝送装置（６０−１〜ｎ）の位置情報、伝送装置（６０−１〜ｎ）の設計変更情報（追加／削除）、回線設定変更情報（パスの始点と終点とを設定変更するための情報）、監視制御チャンネル設定変更情報（監視制御チャンネルを設定変更するための情報）、シェルフ位置、パッケージ名、スロット位置等の情報が挙げられる。
【００６５】
ベンダ販売サーバ（３０）は、回線設計変更情報を回線設計サーバ（２０）から受信した場合に、その回線設計変更情報を基に、回線設計変更によって必要となった伝送装置（６０−１〜ｎ）の製品の配送情報と、伝送装置（６０−１〜ｎ）の設定変更情報と、を配送センタ端末（４０）に送信する（ステップＡ１０）。
【００６６】
なお、配送情報としては、回線設計変更を行う伝送装置（６０−１〜ｎ）の位置情報、シェルフ位置、パッケージ名、スロット位置等の情報が挙げられる。
【００６７】
また、設定変更情報としては、伝送装置（６０−１〜ｎ）の設計変更情報（追加／削除）、回線設定変更情報（パスの始点と終点とを設定変更するための情報）、監視制御チャンネル設定変更情報（監視制御チャンネルを設定変更するための情報）等の情報が挙げられる。
【００６８】
配送センタ端末（４０）は、配送情報と、設定変更情報と、をベンダ販売サーバ（３０）から受信した場合に、ベンダ販売サーバ（３０）から受信した配送情報を基に、在庫の中から回線設計変更によって必要となった伝送装置（６０−１〜ｎ）の製品を特定する。
【００６９】
そして、配送センタ端末（４０）は、上記特定した伝送装置（６０−１〜ｎ）の製品を、その伝送装置（６０−１〜ｎ）の位置情報を基に、回線設計変更が必要となった伝送装置（６０−１〜ｎ）が設置されている客先宛に配送する（ステップＡ１１）。
【００７０】
回線設計変更が必要となった伝送装置（６０−１〜ｎ）の設置場所では、配送センタ端末（４０）から配送された伝送装置（６０−１〜ｎ）の製品を受け入れ（ステップＡ１２）、伝送装置（６０−１〜ｎ）に製品を設置する（ステップＡ１３）。
【００７１】
なお、伝送装置（６０−１〜ｎ）への製品の設置が完了した場合に、製品設置完了通知を配送センタ端末（４０）に送付する（ステップＡ１４）。
【００７２】
配送センタ端末（４０）は、製品設定完了通知が送付された場合に、ベンダ販売サーバ（３０）から受信した設定変更情報を、ネットワーク監視制御装置（５０）に送信する（ステップＡ１５）。
【００７３】
ネットワーク監視制御装置（５０）は、設定変更情報をベンダ販売サーバ（３０）から受信した場合に、その受信した設定変更情報を基に、伝送装置（６０−１〜ｎ）の回線設定変更を行うことになる（ステップＡ１６）。
【００７４】
なお、回線設定変更としては、伝送装置（６０−１〜ｎ）の設計変更（追加／削除）、回線設定変更（パスの始点と終点との設定変更）、監視制御チャンネルの設定変更が挙げられる。
【００７５】
ネットワーク監視制御装置（５０）は、伝送装置（６０−１〜ｎ）の回線設定変更が完了した場合に、回線設定変更が完了した旨の回線設定変更完了通知を配送センタ端末（４０）に送信する（ステップＡ１７）。
【００７６】
配送センタ端末（４０）は、回線設定変更完了通知をネットワーク監視制御装置（５０）から受信した場合に、回線設定変更完了通知をベンダ販売サーバ（３０）に送信する（ステップＡ１８）。
【００７７】
ベンダ販売サーバ（３０）は、回線設定変更完了通知をベンダ販売サーバ（３０）から受信した場合に、回線設計変更情報を基に、回線設定変更により発生した課金処理を行う（ステップＡ１９）。
【００７８】
ベンダ販売サーバ（３０）は、課金処理が完了した場合に、回線設定変更により発生した課金情報と、回線設定変更完了通知と、を回線設計サーバ（２０）に送信する（ステップＡ２０）。
【００７９】
回線サーバ（２０）は、課金情報と、回線設定変更完了通知と、をベンダ販売サーバ（３０）から受信した場合に、課金情報と、回線設定変更完了通知と、をユーザ端末（１０）に送信する（ステップＡ２１）。
【００８０】
ユーザ端末（１０）は、課金情報と、回線設定変更完了通知と、を回線サーバ（２０）から受信した場合に、ユーザ端末（１０）の表示部上に、課金情報と、回線設定変更完了通知と、を表示する（ステップＡ２２）。
【００８１】
このように、本実施形態の回線設計システムは、伝送装置（６０−１〜ｎ）の回線設定変更を自動的に行うことが可能となるため、伝送装置（６０−１〜ｎ）の回線設計変更の時間を短縮することが可能となる。
【００８２】
また、監視制御チャンネルも自動的に設定変更することが可能となるため、回線設定変更が必要となった伝送装置（６０−１〜ｎ）の製品を設置する際に、回線設計変更に応じて人手操作で監視制御チャンネルの設定変更を行う手間を省くことが可能となる。
【００８３】
なお、上述する実施形態は、本発明の好適な実施形態であり、上記実施形態のみに本発明の範囲を限定するものではなく、本発明の要旨を逸脱しない範囲において当業者が上記実施形態の修正や代用を行い、種々の変更を施した形態を構築することは可能である。
【００８４】
例えば、本実施形態の回線設計システムは、回線設計サーバ（２０）が、回線状態の変更要求が発生した場合に、当該変更要求を行う伝送装置（６０−１〜ｎ）の情報と、当該伝送装置（６０−１〜ｎ）に設定する監視制御チャンネルの情報と、をネットワーク監視制御装置（５０）に送信し、ネットワーク監視制御装置（５０）は、伝送装置（６０−１〜ｎ）の情報と、監視制御チャンネルの情報と、を受信した場合に、該受信した伝送装置（６０−１〜ｎ）の情報と、監視制御チャンネルの情報と、を基に、当該伝送装置（６０−１〜ｎ）の監視制御チャンネルを設定することが可能であれば、あらゆるシステム形態を構築することも可能である。
【００８５】
また、本実施形態の回線設計システムは、回線設計サーバ（２０）が、回線状態の変更要求が発生した場合に、当該変更要求を行う伝送装置（６０−１〜ｎ）の情報と、当該伝送装置（６０−１〜ｎ）に設定する監視制御チャンネルの情報と、をベンダ販売サーバ（３０）、配送センタ端末（４０）等の管理装置に送信し、管理装置（３０、４０）は、伝送装置（６０−１〜ｎ）の情報と、監視制御チャンネルの情報と、を受信した場合に、伝送装置（６０−１〜ｎ）の情報を基に、変更要求を行う伝送装置（６０−１〜ｎ）を特定し、該特定した伝送装置（６０−１〜ｎ）の設置状況を管理する。そして、管理装置（３０、４０）は、変更を行う伝送装置（６０−１〜ｎ）の設置が完了した場合に、その伝送装置（６０−１〜ｎ）の情報と、監視制御チャンネルの情報と、をネットワーク監視制御装置（５０）に送信する。ネットワーク監視制御装置（５０）は、伝送装置（６０−１〜ｎ）の情報と、監視制御チャンネルの情報と、を受信した場合に、該受信した伝送装置（６０−１〜ｎ）の情報と、監視制御チャンネルの情報と、を基に、当該伝送装置（６０−１〜ｎ）の監視制御チャンネルを設定することが可能であれば、あらゆるシステム形態を構築することも可能である。
【００８６】
また、上述した実施形態における回線設計システムを構成する各通信装置における制御動作は、ハードウェア、または、ソフトウェア、あるいは、両者の複合構成によって実行することも可能である。
【００８７】
なお、ソフトウェアによる処理を実行する場合には、処理シーケンスを記録したプログラムを、専用のハードウェアに組み込まれているコンピュータ内のメモリにインストールして実行させるか、あるいは、各種処理が実行可能な汎用コンピュータにプログラムをインストールして実行させることが可能である。
【００８８】
例えば、プログラムは、記録媒体としてのハードディスクやＲＯＭ（Read Only Memory）に予め記録しておくことが可能である。あるいは、プログラムは、フロッピー（登録商標）ディスク、ＣＤ−ＲＯＭ（Compact Disc Read Only Memory），ＭＯ（Magneto optical）ディスク，ＤＶＤ（Digital Versatile Disc)、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【００８９】
なお、プログラムは、上述したようなリムーバブル記録媒体からコンピュータにインストールする他、ダウンロードサイトから、コンピュータに無線転送したり、ＬＡＮ（Local Area Network）、インターネットといったネットワークを介して、コンピュータに有線で転送したりし、コンピュータでは、転送されてきたプログラムを受信し、内蔵するハードディスク等の記録媒体にインストールすることが可能である。
【００９０】
また、上記実施形態で説明した処理動作に従って時系列的に実行されるのみならず、処理を実行する装置の処理能力、あるいは、必要に応じて並列的にあるいは個別に実行するように構築することも可能である。また、上記実施形態で説明した回線設計システムは、複数の装置の論理的集合構成にしたり、各構成の装置が同一筐体内に存在する構成にしたりするように構築することも可能である。
【産業上の利用可能性】
【００９１】
本発明にかかる回線設計システム及び回線設計方法は、特に、自動的に回線設計変更を行うことが可能なサービスに適用可能である。
【図面の簡単な説明】
【００９２】
【図１】本実施形態の回線設計システムのシステム構成を示す図である。
【図２】本実施形態の回線設計システムにおける一連の制御動作を示す第１のシーケンスチャートである。
【図３】本実施形態の回線設計システムにおける一連の制御動作を示す第２のシーケンスチャートである。
【符号の説明】
【００９３】
１０    ユーザ端末
２０    回線設計サーバ
３０    ベンダ販売サーバ
４０    配送センタ端末
５０    ネットワーク監視制御装置
６０−１〜ｎ    伝送装置
【図１】
2008228224.tif 000003
【図２】
2008228224.tif 000004
【図３】
2008228224.tif 000005